(57)【要約】      （修正有）【課題】主流孔からのガスの流量を多くすることで、少量のガスでもバーナー着火が上手にできるようにする。【解決手段】内燃機構４は、混合管４ｃの上部に配設されたバーナーノズル（拡散器）４ｄと、バーナーノズル４ｄを囲繞すべく接合されたバーナーパイプ（燃焼筒）４ｅとを備える。また、バーナーノズル４ｄは、バーナーパイプ４ｅ内に乱流を起こさせるべく副流孔４ｄ１  ，４ｄ１の上部にフランジ４ｄ２を設けている。従って、バーナーパイプ４ｅの内部に乱流を強制的に起こさせることができる結果、着火し易いガスと空気との混合雰囲気を作ることができ、また、副流孔４ｄ１  ，４ｄ１を従来よりも小さくすることができる。【選択図】図２
0003136896.tif 000002
【実用新案登録請求の範囲】
【請求項１】
ガス噴出ノズルの上端に連結され半径方向に吸気孔を備えた混合管と、該混合管の上部に配設されたバーナーパイプと、該バーナーパイプと前記混合管との間に配設され上下方向に貫通した噴出路及び／又は径方向に開口された副流孔を有するバーナーノズルとを備えた内燃機構において、
前記バーナーノズルは、バーナーパイプ内に乱流を起こさせるべく前記副流孔の近傍にフランジを設けたことを特徴とする内燃機構。
【考案の詳細な説明】
【技術分野】
【０００１】
本考案は、主として点火棒(着火器)やガスライターに用いられれる内燃機構の改良に関し、更に詳しくは、少量のガスでもバーナー状の火炎（以下、単にバーナー着火という）が上手く点火できる経済的な内燃機構に関する。
【背景技術】
【０００２】
従来、斯かる内燃機構としては、燃料ガスが充填されるガスタンクと、該ガスタンクからの燃料ガスを流速を強めて噴出させることにより生ずる負圧によって空気を吸い込ませる吸気孔を有し、燃料ガスと空気との混合を促進させる混合管と、この混合ガスの流速を減速し拡散させるために前記混合管と連設させたバーナーノズル（拡散器）と、該バーナーノズルにより空気と混合されたガス（混合ガス）を更に減速と拡散をさせて点火と燃焼に充分な流速の空気との混合ガスにするための前記拡散器に連設させたバーナーパイプ（燃焼筒）と、該バーナーパイプ内の可燃焼ガスに点火する点火手段とを備えることにより、ライター本体内で着火燃焼が行なわれるように構成されている（例えば、特許文献１参照）。
【特許文献１】特開昭６３−９１４３１号公報
【考案の開示】
【考案が解決しようとする課題】
【０００３】
しかしながら、上述した従来の内燃機構にあっては、前記バーナーノズルの副流孔に埃塵が付着して着火性能を阻害してしまうといった問題があり、延いては蛍火による火災発生も危惧されている。
【０００４】
本考案はこのような従来の問題点に鑑みてなされたもので、バーナーパイプの内部で乱流を強制的に起こさせ、着火し易いガスと空気との混合雰囲気を作ることができ、また、副流孔を従来よりも小さくすることができる結果、主流孔からのガスの流量を多くすることができるため、少量のガスでもバーナー着火が上手くできる経済的な内燃機構を提供することを目的としたものである。
【課題を解決するための手段】
【０００５】
上述の如き従来の問題点を解決し、所期の目的を達成するため本考案の要旨とする構成は、ガス噴出ノズルの上端に連結され半径方向に吸気孔を備えた混合管と、該混合管の上部に配設されたバーナーパイプと、該バーナーパイプと前記混合管との間に配設され上下方向に貫通した噴出路及び／又は径方向に開口された副流孔を有するバーナーノズルとを備えた内燃機構において、前記バーナーノズルは、バーナーパイプ内に乱流を起こさせるべく前記副流孔の近傍にフランジを設けてなる内燃機構に存する。
【考案の効果】
【０００６】
本考案は上述のように構成され、前記バーナーノズルは、バーナーパイプ内に乱流を起こさせるべく前記副流孔の近傍にフランジを設けたことによって、バーナーパイプの内部で乱流を強制的に起こさせ、着火し易いガスと空気との混合雰囲気を作ることができ、また、副流孔を従来よりも小さくすることで主流孔からのガスの流量を多くすることができるため、少量のガスでもバーナー着火が上手くできるといった効果を奏する。
【０００７】
しかも、副流孔に塵埃等が付着しづらくなるため、従来の如き着火性能を阻害する塵の影響が受けにくくなる他、ガスの吐出量を従来品より抑えることでオリフィスプレートよりも下位に位置する内部蒸気圧の上昇を抑制することができるため、着火使用後の残圧の影響を受けにくくなり、スムーズで確実な消火が行えるといった効果をも兼備するものである。
【考案を実施するための最良の形態】
【０００８】
ガス噴出ノズルの上端に連結され半径方向に吸気孔を備えた混合管と、該混合管の上部に連結されたバーナーパイプと、該バーナーパイプと前記混合管との間に内設され上下方向に貫通した噴出路及び径方向に開口された副流孔を有するバーナーノズルとを備え、前記バーナーパイプ内に乱流を起こさせるべく前記副流孔の近傍にフランジを設ける。
【実施例】
【０００９】
次に本考案に係る内燃機構の実施の一例を図面を参照しながら説明する。図中Ａは、本考案の内燃機構を備えた点火棒付きガスライターであり、このガスライターＡは、所定大きさのライター本体１と、該ライター本体１内に液化ガスを封入せしめるガスタンク２と、該ガスタンク２の頂部に上蓋を介して組み付けられたバルブ機構３及び内燃機構４と、ライター本体１の頂部に突出された点火棒５とを備えている。
【００１０】
バルブ機構３は、筒蓋状のノズル螺旋３ａと、該ノズル螺旋３ｂの下方開口部に嵌合された有底筒状のノズル底栓体３ｂとで内部に弁室（図示せず）を形成しているもので、この弁室内には、Ｏリング、スプリングを介してガス噴出ノズル３ｃが上端を前記ノズル螺旋３ａの開口より外方へ突出すべく装着されている。
【００１１】
更に、ノズル底栓体３ｂの底面には、モルト等のフィルター３ｄ並びに釘状固定子３ｅ等を介して液化ガス吸上部材３ｆが装着されている。この液化ガス吸上部材３ｆは、上端がノズル底栓体３ｂ内に連結支持され下端が前記ガスタンク２内に延出すべく組み付けられたチューブ管からなり、必要に応じて中に焼結芯等を充填させても良い。
【００１２】
釘状固定子３ｅは、着火によりガスタンク２内の気化熱が奪われるのを阻止するものであり、上端側が前記フィルター３ｄの底面に接触し下端側が液化ガス吸上部材３ｅ内に延出するように形成されている。
【００１３】
また、前記ガス噴出ノズル３ａの上位には、延長チューブ３ｇが連結されている。この延長チューブ３ｇは、点火棒５の長手方向に沿って挿着されており、下端側がガス噴出ノズル３ｃの先端に連通され、上端に二次ノズル３ｈが連結されている。
【００１４】
二次ノズル３ｈは、ノズルホルダー６を介して点火棒５の径方向中心に位置すべく保持されており、軸心方向に導線７が配設されている。
【００１５】
ノズルホルダー６は、二次ノズル３ｈ及び延長チューブ３ｇを点火棒５内に位置決め保持するためのものであり、点火棒５に内設されたセラミック製又はナイロン製のバーナーパイプホルダー８と点火棒ホルダー９とで狭持されている。
【００１６】
また、このノズルホルダー６は、点火棒５内に介在されることで、プレミキシングに必要な空気を点火棒５の下位から内燃機構４へ供給せしめる空気供給路１０を確保せしめている。
【００１７】
他方、内燃機構４は、二次ノズル３ｈの頂端に封緘されたノズルプレート４ａと、同ノズルプレート４ａを保持するためのオリフィス用ハウジング４ｂと、その上位に被冠された混合管４ｃと、該混合管４ｃの上部に配設されたバーナーノズル（拡散器）４ｄと、該バーナーノズル４ｄを囲繞すべく接合されたバーナーパイプ（燃焼筒）４ｅとを備えている。
【００１８】
また、前記バーナーノズル４ｄは、バーナーパイプ４ｅ内に乱流を起こさせるべく副流孔４ｄ１  ，４ｄ１  の上部にフランジ４ｄ２  を設けている。
【００１９】
前記混合管４ｃ及びバーナーパイプ４ｅは、点火棒５を構成する前記バーナーパイプホルダー８に支持されており、前記ノズルホルダー６と協働して内燃機構４を安定的に保持している。
【００２０】
点火棒５は、金属製の筒体からなり、先端側に燃焼筒冷却用空気孔５ａが等間隔で周設されるていると共に、頂部に炎口５ｂが開口されている。また、点火棒５の内周面には、例えば、セラミック製又はナイロン製のバーナーパイプホルダー８と点火棒ホルダー９とが内装されており、着火時に点火棒５そのものが熱くならないように工夫されている。
【００２１】
圧電ユニット１１は、上下方向に伸縮するように相互に嵌め合わされた透明なポリカーボネート樹脂からなる外箱１１ａと内箱１１ｂとを有し、その間にはハンマースプリング、ハンマー、復帰スプリング、ヒッティング、圧電素子等からなる打撃機構が組み付けられている。
【００２２】
また、圧電ユニット１１には、前記金属棒５と電気的に接続される導電体１１ｃが配設されおり、後述する着火操作子１２の操作により同圧電ユニット１１の内箱１１ｂが完全に押し込み動作された際に、打撃機構が働き導電体１１にて金属棒５に通電され燃焼筒４ｅ内に向けて火花放電(スパーク)されることとなる。
【００２３】
着火操作子１２は、圧電ユニット１１の上位に組み付けされており、着火操作子１２の押し込み動作によって自動的にガス噴出ノズル３ｃの弁が開かれると共に、瞬時に放電端子(図示せず)から火花放電が発生し前記内燃機構４を介してバーナー着火がなされるように組み付けされている。
【００２４】
弁操作レバー１３は、導電性材料によって成形されており、先端１３ａ側がガス噴出ノズル３ｃの頸部に係止され、後端１３ｂ側が前記着火操作子１２にて押し込まれるべく配設されている。
【００２５】
このように構成されるピエゾライターは、着火操作子１２を押込操作することによって、圧電ユニット１１の動作部（内箱１１ｂ）が押し下げられると共に弁操作レバー１３を押し込むべく作動して同レバー１３の先端１３ａ側を開弁方向に動作せしめバルブ機構３を開き方向に動作させて前記ガス噴出ノズル３ｃからガスを噴出させると共に、前記圧電ユニット１１が完全に押し込み動作されて打撃機構が働き、ハンマースプリング、アースを介して通電回路が得られ、導電体１１ｃを介して点火棒５内の放電端子(図示せず)と燃焼筒４ｅ内にある拡散器４ｄの頂部との間に高電圧差が発生し、前記噴出ガスに火花放電（スパーク）によって点火棒５の炎口５ｂからバーナー状の火炎に着火することができる。
【００２６】
その際、前記バーナーノズル４ｄは、前記副流孔４ｄ１  ，４ｄ１  の上部にフランジ４ｄ２  を設けているため、バーナーパイプ４ｅの内部に乱流を強制的に起こさることができる結果、着火し易いガスと空気との混合雰囲気を作ることができ、また、副流孔４ｄ１  ，４ｄ１  を従来よりも小さくすることができる結果、主流孔４ｄ３  からのガスの流量を多くすることができるため、少量のガスでもバーナー着火が上手くできる。
【００２７】
また、副流孔４ｄ１  ，４ｄ１  に塵埃等が付着しづらくなるため、着火性能を阻害する塵の影響が受けにくくなる他、ガスの吐出量を従来品より抑えることでオリフィスプレート４ａよりも下位に位置する内部蒸気圧の上昇を抑制することができるため、着火使用後の残圧の影響を受けにくくなり、スムーズで確実な消火が行える。
【００２８】
尚、本考案の内燃機構は、本実施例で示した点火棒に限定されることなく、ガスライター、着火器等にも使用できるなど、本考案の目的の範囲内で自由に設計変更し得るものであり、本考案はそれらの全てを包摂するものである。例えば、本実施例では点火棒付きライターについてのみ言及しているが、これに限定されることなく、点火棒の付いていないライター、例えば、内燃機構を備えた耐風性仕様の着火器、ガスライター等の全てを包摂するものである。
【図面の簡単な説明】
【００２９】
【図１】本考案に係る内燃機構を備えた点火棒付きライターの縦断面図である。
【図２】本実施例で使用する内燃機構の縦断面図である。
【符号の説明】
【００３０】
１  ライター本体
２  ガスタンク
３  バルブ機構
３ａ  ノズル螺旋
３ｂ  ノズル底栓体
３ｃ  ガス噴出ノズル
３ｄ  フィルター
３ｅ  釘状固定子
３ｆ  液化ガス吸上部材
３ｇ  延長チューブ
３ｈ  二次ノズル
４  内燃機構
４ａ  ノズルプレート
４ｂ  オリフィス用ハウジング
４ｃ  混合管
４ｄ  拡散器
４ｄ１  副流孔
４ｄ２  フランジ
４ｄ３  主流孔
４ｅ  燃焼筒
５  点火棒
５ａ  燃焼筒冷却用空気孔
５ｂ  炎口
６  ノズルホルダー
７  導線
８  バーナーパイプホルダー
９  点火棒ホルダー
１０  空気供給路
１１  圧電ユニット
11ａ  外箱
11ｂ  内箱
11ｃ  導電体
１２  着火操作子
１３  弁操作レバー
13ａ  先端
13ｂ  下端
１４  加熱触媒
【図１】
0003136896.tif 000003
【図２】
0003136896.tif 000004